(57)【要約】【課題】便座装置を使用する際に発生する音を、より適切にマスキングする。【解決手段】検出マイク２８で検出した音信号に基づいて、複数の音源３５ａ〜３５ｃからの再生音と、複数の音源３５ａ〜３５ｃの音再生パターン３５ｘ，３５ｙと、音量とのうち、少なくともいずれか１つを設定してスピーカ２９から出力される音の制御を行う。これにより、便座装置を使用する際に発生する音を検出し、再生音と音再生パターンと音量との少なくともいずれか１つが、検出した音に適する音をマスキング音として出力することができるから、便座装置を使用する際に発生する種々の音を適切にマスキングすることができる。【選択図】図３
2018150710.tif 000002
【特許請求の範囲】
【請求項１】
音を検出する検出手段と、
音を出力する出力手段と、
前記出力手段により出力される音に関する情報を記憶する記憶手段と、
前記検出手段により検出された音信号に基づいて、前記記憶手段に記憶された複数の音源からの再生音と、前記音源の音再生パターンと、音量とのうち、少なくともいずれか１つで前記出力手段の音を制御する制御手段と、
を備える便座装置。
【請求項２】
請求項１に記載の便座装置であって、
前記検出手段により検出された音信号の音圧を解析可能な解析手段を備え、
前記制御手段は、少なくとも前記解析手段により解析された前記音信号の音圧に基づいて、複数の音源からの再生音と、前記音源の音再生パターンと、再生音の音量とのうち、少なくともいずれか１つで前記出力手段の音を制御する
便座装置。
【請求項３】
請求項１または２に記載の便座装置であって、
前記検出手段により検出された音信号の周波数を解析可能な解析手段を備え、
前記制御手段は、少なくとも前記解析手段により解析された前記音信号の周波数に基づいて、複数の音源からの再生音と、前記音源の音再生パターンと、再生音の音量とのうち、少なくともいずれか１つで前記出力手段の音を制御する
便座装置。
【請求項４】
請求項１ないし３のいずれか１項に記載の便座装置であって、
前記検出手段により検出された音信号から前記便座装置の作動音に対応する作動周波数を除去可能なフィルタ手段を備え、
前記制御手段は、前記検出手段により検出された音信号から前記フィルタ手段により前記作動周波数が除去された音に基づいて、複数の音源からの再生音と、前記音源の音再生パターンと、再生音の音量とのうち、少なくともいずれか１つで前記出力手段の音を制御する
便座装置。
【請求項５】
請求項１ないし４のいずれか１項に記載の便座装置であって、
前記便座装置が配置された室内への使用者の入室または前記便座装置への使用者の着座を検知する検知手段と、
前記検出手段により検出された音信号から特定音源に対応する特定周波数を除去可能なフィルタ手段と、
を備え、
前記制御手段は、前記検出手段による音の検出に先立って、前記検知手段により使用者が検知されたことに基づいて前記特定音源の音を所定音量で出力するよう前記出力手段を制御し、前記検出手段により検出された音信号から前記フィルタ手段により前記特定周波数が除去された音に基づいて、複数の音源からの再生音と、前記音源の音再生パターンと、再生音の音量とのうち、少なくともいずれか１つで前記出力手段の音を制御する
便座装置。
【発明の詳細な説明】
【技術分野】
【０００１】
本発明は、便座装置に関する。
【背景技術】
【０００２】
従来、この種の便座装置としては、使用者が排泄する際の排泄音をマスキングするための音をスピーカから出力するものが提案されている（例えば、特許文献１参照）。この便座装置では、使用者の着座を検知したことに基づいて、予め記憶された擬音を所定時間に亘ってスピーカから出力するものとしている。
【先行技術文献】
【特許文献】
【０００３】
【特許文献１】実開平０２−１３９９７３号公報
【発明の概要】
【発明が解決しようとする課題】
【０００４】
ところで、使用者がマスキングしたい音は、排泄音だけでなく衣服を着脱する際の着脱音など種々の音がある。また、排泄音は、使者毎に音質や音量が異なったり、同じ使用者であっても体調などによって音質や音量が変化したりする場合がある。このため、上述した便座装置のように、予め記憶された擬音を出力するものでは、適切にマスキングすることができない場合があり、なお改善の余地がある。
【０００５】
本発明は、便座装置を使用する際に発生する音を、より適切にマスキングすることを主目的とする。
【課題を解決するための手段】
【０００６】
本発明の便座装置は、上述の主目的を達成するために以下の手段を採った。
【０００７】
本発明の便座装置は、
音を検出する検出手段と、
音を出力する出力手段と、
前記出力手段により出力される音に関する情報を記憶する記憶手段と、
前記検出手段により検出された音信号に基づいて、前記記憶手段に記憶された複数の音源からの再生音と、前記音源の音再生パターンと、音量とのうち、少なくともいずれか１つで前記出力手段の音を制御する制御手段と、
を備えることを要旨とする。
【０００８】
本発明の便座装置は、検出した音信号に基づいて、複数の音源からの再生音と、音源の音再生パターンと、音量とのうち、少なくともいずれか１つで出力手段の音（マスキング音）を制御する。これにより、便座装置を使用する際に発生する音を検出し、再生音と音再生パターンと音量との少なくともいずれか１つが、検出した音に適する音をマスキング音として出力することができる。したがって、便座装置を使用する際に発生する種々の音を適切にマスキングすることができる。
【０００９】
本発明の便座装置において、前記検出手段により検出された音信号の音圧を解析可能な解析手段を備え、前記制御手段は、少なくとも前記解析手段により解析された前記音信号の音圧に基づいて、複数の音源からの再生音と、前記音源の音再生パターンと、再生音の音量とのうち、少なくともいずれか１つで前記出力手段の音を制御するものとしてもよい。こうすれば、再生音と音再生パターンと音量との少なくともいずれか１つが、検出した音信号の音圧に適する音をマスキング音として出力することができる。
【００１０】
本発明の便座装置において、前記検出手段により検出された音信号の周波数を解析可能な解析手段を備え、前記制御手段は、少なくとも前記解析手段により解析された前記音信号の周波数に基づいて、複数の音源からの再生音と、前記音源の音再生パターンと、再生音の音量とのうち、少なくともいずれか１つで前記出力手段の音を制御するものとしてもよい。こうすれば、再生音と音再生パターンと音量との少なくともいずれか１つが、検出した音信号の周波数に適する音をマスキング音として出力することができる。即ち、適切に周波数マスキングすることができる。
【００１１】
本発明の便座装置において、前記検出手段により検出された音信号から前記便座装置の作動音に対応する作動周波数を除去可能なフィルタ手段を備え、前記制御手段は、前記検出手段により検出された音信号から前記フィルタ手段により前記作動周波数が除去された音に基づいて、複数の音源からの再生音と、前記音源の音再生パターンと、再生音の音量とのうち、少なくともいずれか１つで前記出力手段の音を制御するものとしてもよい。便座装置の作動音はマスキングする必要性が低いから、便座装置の作動音に対応する所定の周波数を除去することにより、使用者がマスキングしたい音をより適切にマスキングすることができる。
【００１２】
本発明の便座装置において、前記便座装置が配置された室内への使用者の入室または前記便座装置への使用者の着座を検知する検知手段と、前記検出手段により検出された音信号から特定音源に対応する特定周波数を除去可能なフィルタ手段と、を備え、前記制御手段は、前記検出手段による音の検出に先立って、前記検知手段により使用者が検知されたことに基づいて前記特定音源の音を所定音量で出力するよう前記出力手段を制御し、前記検出手段により検出された音信号から前記フィルタ手段により前記特定周波数が除去された音に基づいて、複数の音源からの再生音と、前記音源の音再生パターンと、再生音の音量とのうち、少なくともいずれか１つで前記出力手段の音を制御するものとしてもよい。こうすれば、使用者を検知することに基づいて特定音源の音を出力してマスキングを開始することができる。また、特定音源の音を出力していても、検出した音信号から特定音源に対応する特定周波数を除去した上で、再生音と音再生パターンと音量との少なくともいずれか１を設定して音を出力するから、使用者がマスキングしたい音をより適切にマスキングすることができる。
【図面の簡単な説明】
【００１３】
【図１】便座装置１０の構成図である。
【図２】便座装置１０の制御に関するブロック図である。
【図３】マスキング音再生制御部３０の機能に関するブロック図である。
【発明を実施するための形態】
【００１４】
本発明を実施するための形態を実施例を用いて説明する。
【実施例】
【００１５】
図１は便座装置１０の構成図であり、図２は便座装置１０の制御に関するブロック図である。便座装置１０は、図１，図２に示すように、便器１の上面後方に設置される本体１２と、本体１２に対して開閉可能に支持された便座１４および便蓋１６と、便座装置１０の作動を制御する制御装置２０とを備える。この便座装置１０は、使用者の局部に洗浄水を噴射して洗浄する洗浄ノズル２２と、臭気を脱臭する脱臭ファン２４と、使用者の局部に温風を吹き付けて乾燥させる乾燥ファン２６とを備える温水洗浄便座装置として構成されている。また、便座装置１０は、使用者が衣服を着脱する際の着脱音や排泄する際の排泄音などをマスキングするためのマスキング音を出力可能に構成されており、マスキング対象の音を含む便座装置１０の周囲の音を検出可能な検出マイク（マイクロフォン）２８と、マスキング音として流水音や鳥の鳴き声などの再生音を出力可能なスピーカ２９とを備える。
【００１６】
制御装置２０は、図示しない操作リモコンに設けられた各操作ボタンからの操作信号などが入力され、入力された操作信号に基づいて、洗浄ノズル２２や脱臭ファン２４、乾燥ファン２６の作動の開始や作動の停止などを制御する。操作リモコンには、マスキング音の再生有無の選択が可能なマスキング音操作ボタン１９が設けられており、制御装置２０には、マスキング音操作ボタン１９からの選択信号が入力される。また、便座１４には、便座装置１０が配置された室内への使用者の入室を検知する入室検知センサ１７と、使用者の着座を検知する着座検知センサ１８とが設けられている。制御装置２０には、入室検知センサ１７からの入室検知信号や着座検知センサ１８からの着座検知信号が入力される。また、制御装置２０は、マスキング音の再生に関する各種音響制御を行うマスキング音再生制御部３０を有する。マスキング音再生制御部３０には、検出マイク２８により検出された音が入力される。また、マスキング音再生制御部３０は、マスキング音を出力するようスピーカ２９を制御する。
【００１７】
ここで、図３は、マスキング音再生制御部３０の機能に関するブロック図である。図示するように、マスキング音再生制御部３０は、フィルタ処理部３１と、音解析部３２と、音記憶部３５と、音制御部３６とを備える。
【００１８】
フィルタ処理部３１は、例えばバンドストップフィルタなどで構成されており、検出マイク２８で検出された音の音信号から所定の音に対応する周波数を除去（減衰）可能となっている。このフィルタ処理部３１は、便座装置１０の作動音に対応する周波数として、洗浄ノズル２２の洗浄音３１ａに対応する周波数と、脱臭ファン２４の脱臭音３１ｂに対応する周波数と、乾燥ファン２６の乾燥音３１ｃに対応する周波数とを除去可能に構成されている。また、フィルタ処理部３１は、作動音以外の音に対応する周波数として、後述する特定音源３５ｄからの特定マスキング音３１ｄに対応する周波数を除去可能に構成されている。
【００１９】
音解析部３２は、検出マイク２８で検出されてフィルタ処理部３１により周波数除去された音信号を入力して解析処理を行う。音解析部３２は、入力した音信号にＦＦＴ（高速フーリエ変換）などの周知の処理を施すなどにより、入力された音信号の音圧を解析する音圧解析部３３と、入力された音信号の周波数を解析する周波数解析部３４とを備える。音解析部３２による解析処理の解析結果は、音制御部３６に入力される。なお、音解析部３２をパスして、検出マイク２８で検出された音信号を音制御部３６に入力することもでき、音信号の入力により音制御部３６は検出マイク２８が音を検出していることを認識することができる。
【００２０】
音記憶部３５は、単一音源での再生使用や複数音源の組合せでの再生使用とが可能な複数種の音源として、第１音源３５ａと第２音源３５ｂと第３音源３５ｃの３種類の音源を記憶している。また、音記憶部３５は、予め定められた再生パターンで使用される特定音源３５ｄを記憶している。さらに、音記憶部３５は、第１音源３５ａと第２音源３５ｂと第３音源３５ｃの再生パターンとして、単一音源での再生を繰り返す単一音源再生パターン３５ｘと、複数音源の組合せでの再生を繰り返す複数音源再生パターン３５ｙとを記憶している。なお、第１〜第３音源３５ａ〜３５ｃは、音の周波数帯が異なり、例えば、第１音源３５ａは比較的高い周波数帯の音で構成され、第２音源３５ｂは比較的低い周波数帯の音で構成され、第３音源３５ｃは第１音源３５ａと第２音源３５ｂとの中間程度の周波数帯の音で構成されている。また、特定音源３５ｄは、マスキング音としての流水音などの典型的な擬音を、所定音量で出力するために記憶されたティピカルな音源である。
【００２１】
音制御部３６は、検出マイク２８で検出されフィルタ処理部３１により周波数除去されて音解析部３２により解析された音信号が入力される。なお、上述したように、音制御部３６には、検出マイク２８で検出されてフィルタ処理部３１により周波数除去された音信号を入力することもできる。この音制御部３６は、音記憶部３５に記憶されている音源からの音信号や再生パターンなどが入力される。音制御部３６は、スピーカ２９が再生（出力）する再生音を音記憶部３５から選択する再生音選択部３７と、スピーカ２９が再生（出力）する再生音の再生パターンを音記憶部３５から選択する再生パターン選択部３８と、スピーカ２９が再生（出力）する音量を調整する音量調整部３９とを備える。音量調整部３９は、例えば増幅回路などにより構成されており、解析結果に応じた音量または予め定められた所定音量でマスキング音を出力するようスピーカ２９の出力を調整する。
【００２２】
こうして構成された便座装置１０では、制御装置２０は、例えばマスキング音操作ボタン１９によりマスキング音の再生有りが選択されている場合に、マスキング音再生制御部３０に次のようにマスキング音の再生に関する各種音響制御を行わせる。マスキング音再生制御部３０は、まず、入室検知センサ１７からの入室検知信号に基づいて使用者の入室が検知されたときに、特定音源３５ｄからの特定マスキング音をスピーカ２９から出力する。マスキング音再生制御部３０は、特定音源３５ｄからの特定マスキング音を出力する際には、一定の音量、例えば、この後に第１〜第３音源３５ａ〜３５ｃからのマスキング音を出力する際よりも小さな所定音量で音を出力する。このように、使用者が入室したことに基づいて特定マスキング音としてティピカルなマスキング音を出力するから、衣服を着脱する際の着脱音などを適切にマスキングすることができる。また、小さな所定音量で特定マスキング音を出力するから、使用者の意図しない過大なマスキング音が出力されるのを防止することができる。なお、使用者の入室に基づいて特定音源３５ｄからの特定マスキング音を出力するか否かを、使用者に選択可能とするものなどとしてもよい。
【００２３】
次に、着座検知センサ１８からの着座検知信号に基づいて使用者の着座が検知されている場合には、マスキング音再生制御部３０は、検出マイク２８により検出される音をマスキングするためのマスキング音を再生するよう各種音響制御を行う。ここで、検出マイク２８により検出される音には、例えば使用者が排泄する際の排泄音の他、便座装置１０の作動音として洗浄ノズル２２の洗浄音や脱臭ファン２４の脱臭音、乾燥ファン２６の乾燥音などがある。また、使用者の入室に基づいて、特定音源３５ｄからの特定マスキング音（ティピカルなマスキング音）を出力するため、その音も検出することになる。そこで、マスキング音再生制御部３０は、フィルタ処理部３１の機能により、検出マイク２８で検出された音信号から洗浄ノズル２２の洗浄音３１ａや脱臭ファン２４の脱臭音３１ｂ、乾燥ファン２６の乾燥音３１ｃ、特定音源３５ｄの特定マスキング音３１ｄに対応する周波数を除去する。これらの音（周波数）を除去してから、音解析部３２の音圧解析部３３と周波数解析部３４との機能により、音圧解析と周波数解析とを行う。このため、マスキングが不要な便座装置１０の作動音や特定マスキング音を除去した上で、使用者がマスキングしたい排泄音などに絞って音圧解析と周波数解析とを適切に行うことができる。したがって、マスキング音が必要以上に広範囲の周波数帯の音となったり必要以上に大きな音量となったりするのを防止することができる。
【００２４】
そして、マスキング音再生制御部３０は、再生音選択部３７と再生パターン選択部３８との機能により、音解析部３２の解析結果の周波数をマスキングするのに最も近い周波数の音源を、音記憶部３５の第１〜第３音源３５ａ〜３５ｃのいずれかから選択する。このため、マスキング対象の音の周波数の高低が使用者の体調などによって異なったり使用者毎に異なったりする場合でも、マスキングに適した音源を選択することができる。なお、再生音選択部３７は、選択した一の音源の周波数を調整する周波数調整機能を有していてもよい。その場合、再生音選択部３７は、選択した一の音源の周波数を、例えば周波数解析結果の周波数よりも若干低い周波数となるように周波数をシフトすることで調整してもよい。このように、音解析部３２の解析結果の周波数よりも若干低い周波数とすることにより、マスキング音再生制御部３０は、低周波の音で高周波の音をマスキングする周波数マスキングを適切に行うことができる。また、再生パターン選択部３８は、一の音源でマスキングが可能であれば、単一音源での再生を繰り返す単一音源再生パターン３５ｘを選択し、複数音源の組合せでのマスキングの方が効果的であれば、複数音源の組合せでの再生を繰り返す複数音源再生パターン３５ｙを選択する。このため、再生音選択部３７と再生パターン選択部３８との機能により、マスキング対象の音に応じて第１〜第３音源３５ａ〜３５ｃからの再生音と音再生パターンとを適切に選択（設定）することができる。
【００２５】
また、マスキング音再生制御部３０は、音量調整部３９の機能により、音解析部３２の解析結果に応じた音量でマスキング音が出力されるようスピーカ２９を制御する。このため、マスキングに必要な範囲の音量でマスキング音を出力することができる。したがって、マスキング音の音量が大きすぎるために使用者に不快感を与えたり、マスキング音が小さすぎるために十分にマスキングできなかったりするのを防止することができる。また、使用者の操作によらずに音量を調整して、使用者の音量調整の手間を省くことができる。
【００２６】
以上説明した実施例の便座装置１０は、検出マイク２８で検出した音信号に基づいて、第１〜第３音源３５ａ〜３５ｃからの再生音と、音再生パターンと、音量とを設定してスピーカ２９を制御する。これにより、便座装置１０を使用する際の種々の使用音を適切にマスキングすることができる。
【００２７】
また、実施例の便座装置１０は、検出マイク２８で検出された音信号の音圧を解析し、解析した音圧に基づいて、第１〜第３音源３５ａ〜３５ｃからの再生音と、音再生パターンと、音量とを設定してスピーカ２９から出力される音を制御する。このため、マスキングの対象音の音圧に応じて適切にマスキング音を出力することができる。
【００２８】
また、実施例の便座装置１０は、検出マイク２８で検出された音信号の周波数を解析し、解析した周波数に基づいて、第１〜第３音源３５ａ〜３５ｃからの再生音と、音再生パターンと、音量とを設定してスピーカ２９から出力される音を制御する。このため、マスキングの対象音の周波数に応じて適切にマスキング音を出力することができる。
【００２９】
また、実施例の便座装置１０は、検出マイク２８で検出された音信号から、便座装置１０の作動音として洗浄ノズル２２の洗浄音３１ａや脱臭ファン２４の脱臭音３１ｂ、乾燥ファン２６の乾燥音３１ｃを除去した音に基づいて、第１〜第３音源３５ａ〜３５ｃからの再生音と、音再生パターンと、音量とを設定してスピーカ２９から出力される音を制御する。このため、マスキングの必要性が低い音を除外して、マスキングの必要な音をより適切にマスキングすることができる。
【００３０】
また、実施例の便座装置１０は、使用者の入室を検知したことに基づいて、特定音源３５ｄからの特定マスキング音を出力するから、衣服を着脱する際の着脱音などを適切にマスキングすることができる。また、検出マイク２８で検出された音信号から、特定マスキング音３１ｄを除去するから、特定音源３５ｄからの特定マスキング音を出力していても、第１〜第３音源３５ａ〜３５ｃからの再生音と、音再生パターンと、音量とを適切に設定することができる。
【００３１】
実施例では、検出マイク２８で検出した音信号に基づいて、第１〜第３音源３５ａ〜３５ｃからの再生音と、音再生パターンと、音量とを設定したが、これに限られるものではない。検出マイク２８で検出した音信号に基づいて、第１〜第３音源３５ａ〜３５ｃからの再生音と、音再生パターンと、音量とのうち、少なくともいずれか１つを設定するものであればよい。このため、音制御部３６は、再生音選択部３７と再生パターン選択部３８と音量調整部３９とをいずれも備えるものに限られず、設定する機能に合わせて少なくともいずれか１つを備えるものとしてもよい。なお、再生音を設定しない場合には、一の音源のみを記憶しておきその音源を再生するものとしたり、再生パターンを設定しない場合には、常に単一の音源での再生を行うパターンとしたり、音量を設定しない場合には、一定の音量でマスキング音を出力するものとしたりすればよい。
【００３２】
実施例では、検出マイク２８で検出された音信号の音圧と周波数とを解析し、解析した音圧と周波数とに基づいて、第１〜第３音源３５ａ〜３５ｃからの再生音と、音再生パターンと、音量とを設定したが、これに限られるものではない。検出マイク２８で検出された音信号から音圧または周波数の一方を解析し、解析した結果に基づいて、第１〜第３音源３５ａ〜３５ｃからの再生音と、音再生パターンと、音量とのうち、少なくともいずれか１つを設定するものとしてもよい。
【００３３】
実施例では、検出マイク２８で検出された音信号から、便座装置１０の作動音として３種類の作動音（洗浄音３１ａや脱臭音３１ｂ、乾燥音３１ｃ）を除去したが、これに限られるものではない。例えば、いずれか１種類または２種類の作動音を除去してもよいし、他の作動音を除去してもよい。あるいは、便座装置１０の作動音を除去することなく、検出マイク２８で検出された音信号をそのまま解析してもよい。また、検出マイク２８で検出された音信号から、特定マスキング音３１ｄを除去することなく、音信号を解析してもよい。
【００３４】
実施例では、入室検知センサ１７からの入室検知信号に基づいて使用者の入室を検知したことに基づいて、特定音源３５ｄからの特定マスキング音を出力したが、これに限られず、着座検知センサ１８からの着座検知信号に基づいて使用者の着座を検知したことに基づいて、特定音源３５ｄからの特定マスキング音を出力してもよい。あるいは、このような特定マスキング音（ティピカルなマスキング音）を出力しないものとしてもよい。その場合、音記憶部３５が特定音源３５ｄを記憶しないものとし、フィルタ処理部３１が検出マイク２８で検出された音信号から特定マスキング音３１ｄを除去しないものなどとすればよい。
【００３５】
実施例では、マスキング音操作ボタン１９によりマスキング音の再生有りが選択されている場合にマスキング音を出力するものとしたが、これに限られるものではない。例えば、操作リモコンにマスキング音操作ボタン１９を設けないものとし、入室検知センサ１７からの入室検知信号に基づいて使用者の入室が検知されている場合や着座検知センサ１８からの着座検知信号に基づいて使用者の着座が検知されている場合に、マスキング音を出力するものとしてもよい。
【００３６】
なお、便座装置１０は、音を検出する検出手段と、音を記憶する記憶手段と、音を出力する出力手段と、検出手段により検出された音の周波数を解析する周波数解析手段と、解析された音の周波数に基づいて、検出された音をマスキングする周波数の音を記憶手段の音を用いて出力手段から出力するよう制御する制御手段と、を備えるものとしてもよい。こうすれば、便座装置を使用する際の音を検出し、検出した音に適した周波数の音をマスキング音として出力することができるから、便座装置を使用する際の種々の音を適切にマスキングすることができる。なお、記憶手段が周波数の異なる複数種の音源を記憶しており、それらの音源のうちマスキングに適した周波数に最も周波数の近い一の音源を選択して、周波数調整をしてから出力するものとしてもよいし、周波数調整をすることなく出力するものとしてもよい。あるいは、記憶手段が１種類の音源のみを記憶しており、その音源を用いて周波数調整してから出力するものとしてもよい。
【００３７】
実施例の主要な要素と課題を解決するための手段の欄に記載した発明の主要な要素との対応関係について説明する。実施例では、検出マイク２８が「検出手段」に相当し、スピーカ２９が「出力手段」に相当し、音記憶部３５が「記憶手段」に相当し、音制御部３６（再生音選択部３７、再生パターン選択部３８、音量調整部３９）が「制御手段」に相当する。また、音解析部３２（音圧解析部３３、周波数解析部３４）が「解析手段」に相当する。また、フィルタ処理部３１が「フィルタ手段」に相当する。入室検知センサ１７（着座検知センサ１８）が「検知手段」に相当する。
【００３８】
なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００３９】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００４０】
本発明は、便座装置の製造産業などに利用可能である。
【符号の説明】
【００４１】
１  便器、１０  便座装置、１２  本体、１４  便座、１６  便蓋、１７  入室検知センサ、１８  着座検知センサ、１９  マスキング音操作ボタン、２０  制御装置、２２  洗浄ノズル、２４  脱臭ファン、２６  乾燥ファン、２８  検出マイク、２９  スピーカ、３０  マスキング音再生制御部、３１  フィルタ処理部、３１ａ  洗浄音、３１ｂ  脱臭音、３１ｃ  乾燥音、３１ｄ  特定マスキング音、３２  音解析部、３３  音圧解析部、３４  周波数解析部、３５  音記憶部、３５ａ  第１音源、３５ｂ  第２音源、３５ｃ  第３音源、３５ｄ  特定音源、３５ｘ  単一音源再生パターン、３５ｙ  複数音源再生パターン、３６  音制御部、３７  再生音選択部、３８  再生パターン選択部、３９  音量調整部。
【図１】
2018150710.tif 000003
【図２】
2018150710.tif 000004
【図３】
2018150710.tif 000005